(57)【要約】【課題】ＣＰＵやメモリやＰＣＩバスなどの故障情報を収集できる手段をもったシステムにおいて、システムの電源をオフしてもシステムの故障部位を表示することによって、故障した部品の交換を容易にすることである。【解決手段】電源がオフしても表示状態が変化しない表示手段と、前期表示手段を電源がオンしているときに表示状態を変化させる制御手段を設け、システムの電源がオンしているときに故障した部品の表示状態を故障表示に変化させることで、システムの電源をオフしてもシステムの故障表示を維持できる。【選択図】図１
2005251060.tif 000002
【特許請求の範囲】
【請求項１】
システムの構成機器に対応した機器の異常状態を表示するための故障表示手段であって、表示を制御する電源を備え、システムの構成機器の異常状態に応じた信号が与えられた時異常状態に応じた表示に表示状態を変更されるとともに、前記電源が喪失したときは前記電源が正常であった時の表示状態を維持することを特徴とする故障表示装置。
【請求項２】
前記故障表示手段が、内部に粘性のある液体を満たし、該液体中にカプセルに封入された扁平な表示磁性板を浮遊させている透明な表示ケースと前記表示磁性板に作用させる磁場を発生させるコイルとを備え、システムの構成機器の異常状態に応じた信号に応じて、前記コイルに通電して前記表示磁性板の表示を異常状態に応じた表示状態に変更する請求項１記載の故障表示装置。
【請求項３】
前記故障表示手段が、熱により変色する貼り付け可能な感熱ラベルと該感熱ラベルに作用する熱を発生させるヒータとを備え、システムの構成機器の異常状態に応じた信号に応じて、前記ヒータに通電して前記感熱ラベルを異常状態に応じた表示状態に変更する請求項１記載の故障表示装置。
【請求項４】
表示を制御する電源を有し、システムの構成機器の異常状態に応じた信号が与えられた時異常状態に応じた表示に表示状態を変更されるとともに、前記電源が喪失したときは前記電源が正常であった時の表示状態を維持する故障表示装置を備えたシステムにおける故障部位表示方法であって、前記システムの構成機器に隣接して前記故障表示装置を配置したことを特徴とする故障部位表示方法。
【請求項５】
前記故障表示装置が前記システムの構成機器名の表示とともに、該機器名の表示に隣接して一括して表示された請求項４記載の故障部位表示方法。
【発明の詳細な説明】
【技術分野】
【０００１】
本発明は、ＣＰＵやメモリやＰＣＩバスなどの故障情報を収集できる手段をもったシステムに係り、特に電源をオフしても、表示状態をオン状態と同じ状態に維持できる故障表示手段を設けることによりＣＰＵやメモリの保守交換を容易にできることを可能とした故障部位表示方法に関する。
【背景技術】
【０００２】
故障部位の表示を行う従来例として、特許文献１（特開２００２−３００９６５号公報）がある。特許文献１では該当システムの電源がオンの状態でないと故障部位を表示することができない。また、電気ポットの様に各部品が一つしかない場合には有効であるが、ＰＣサーバの様に同じ部品が複数搭載されるシステムにおいては故障部位をウェブ等から参照する必要があるため故障部品の特定に時間がかかる。また、故障部品を見つけるために他の端末が必要となる。
【０００３】
その他に、ＰＣサーバなどではＬＥＤで故障部位を表示する方法が採用されている例（たとえば、非特許文献１：ＨＰ ＰｒｏｌｉａｎｔＤＬ５６０サーバ ユーザガイド---http://www.Compaq.co.jp/doc/manual/proliant/）があるが、ラックマウントサーバ等では分解した状態で電源をオンすることが困難であるため、故障部位の特定が困難である。
【０００４】
【特許文献１】特開２００２−３００９６５号公報
【０００５】
【非特許文献１】ＨＰ ＰｒｏｌｉａｎｔＤＬ５６０サーバ ユーザガイド(http://www.Compaq.co.jp/doc/manual/proliant/)
【発明の開示】
【発明が解決しようとする課題】
【０００６】
本発明の課題は、特許文献１の方法ではできなかった該当システムの電源をオフした状態でシステムの故障部位を特定できる表示方法を提供することである。
【課題を解決するための手段】
【０００７】
本発明の目的は、電源がオフしても電源がオンのときの表示状態と同じ表示に維持できる故障表示手段と、前期表示手段を電源がオンしているときに表示の対象となる機器の動作状態に応じた表示に変化させる制御手段を設ける。
【発明の効果】
【０００８】
本発明によれば、ＣＰＵやメモリやＰＣＩバスなどの故障情報を収集できる手段をもったシステムにおいて、システムの電源をオフしても電源がオンのときの表示状態と同じ表示に維持できる。
【発明を実施するための最良の形態】
【０００９】
（実施例１）
図１は本発明の故障部位表示方法に適用できる実施例１の故障表示ＩＣの構成を示すブロック図である。１００は故障表示ＩＣである。１１２は透明な表示ケースであり、故障表示ＩＣ１００の外面から見える位置に設けられ、内部に粘性のある液体１１１を満たし、その液体１１１中にカプセル１１３に封入された扁平な表示磁性板１１０を浮遊させている。１２６はコイルであり、このコイルの発生する磁界が、カプセル１１３に封入された表示磁性板１１０に作用する位置に設けられ、表示内容に応じて磁界の向きが制御される。１２１および１２２は直列接続されたスイッチであり、電源Ｖｃｃと接地との間に設けられる。１２３および１２４は直列接続されたスイッチであり、電源Ｖｃｃと接地との間に設けられる。１３０はＥＥＰＲＯＭであり、故障表示ＩＣに表示すべき内容が“０”または“１”データとして記憶される。１４０はＩ２Ｃ制御回路で、Ｉ２Ｃバス２００を介して与えられるデータに応じてＥＥＰＲＯＭ１３０にデータを書き込む。上述した粘性のある液体１１１および扁平なカプセル１１３に封入された表示磁性板１１０は、例えば、特開平１０−８８８に採用されている液体５０６および磁性体微粒子５０７と同様に作成するのが良い。
【００１０】
スイッチ１２１と１２４はＥＥＰＲＯＭ１３０から与えられるデータ“０”に応じてオフとなり、データ“１”に応じてオンとなる。一方、スイッチ１２２と１２３はＥＥＰＲＯＭ１３０から与えられるデータをインバータ１２５を介して与えられるので、データ“０”に応じてオンとなり、データ“１”に応じてオフとなる。すなわち、直列接続されたスイッチ１２１および１２２はＥＥＰＲＯＭ１３０から与えられるデータが“０”のときは、スイッチ１２２がオン、スイッチ１２１がオフとなる。一方、直列接続されたスイッチ１２３および１２４はＥＥＰＲＯＭ１３０から与えられるデータが“０”のときは、スイッチ１２４がオフ、スイッチ１２３がオンとなる。ＥＥＰＲＯＭ１３０から与えられるデータが“１”のときは、これが逆となる。したがって、ＥＥＰＲＯＭ１３０から与えられるデータが“０”のときは、コイル１２６にはスイッチ１２３およびスイッチ１２２を通して電源Ｖｃｃが印加され、ＥＥＰＲＯＭ１３０から与えられるデータが“１”のときは、コイル１２６にはスイッチ１２１およびスイッチ１２４を通して電源Ｖｃｃが印加される。すなわち、ＥＥＰＲＯＭ１３０から与えられるデータ“０”、“１”に応じてコイル１２６の電流方向が逆となる。この結果、このコイル１２６の発生する磁界が、データ“０”、“１”に応じて逆転し、カプセル１１３に封入された表示磁性板１１０の表示を逆転させる。
【００１１】
図２は実施例１のカプセル１１３に封入された表示磁性板１１０を、二つの態様で示す斜視図である。扁平な磁性板であり、Ｓ極に白色塗装しＮ極に黒色塗装が施されている。したがって、コイル１２６の発生する磁界に応じてその向きが決定される。図１、図２では、表示磁性板１１０は大きく表示されているが、透明な表示ケース１１２は、先の特開平１０−８８８の情報表示部２と同様、その厚さはたかだか０．２ｍｍあるいはそれ以下の十分薄いものとするのが良いから、カプセル１１３および表示磁性板１１０は、いわゆる“微粒子”レベルの大きさとするのが良い。したがって、表示ケース１１２内に収納する数は適当に多くして、全体として白色塗装面または黒色塗装面として見えるようにするのが良い。
【００１２】
図３は実施例１の故障表示ＩＣ１００が“正常表示”をしている場合の故障表示ＩＣの状態を示すブロック図である。Ｉ２Ｃバス２００からシステムの正常状態を示す値“０”が与えられ、これに応じて、Ｉ２Ｃ制御回路１４０を介してＥＥＰＲＯＭ１３０に“０”が書き込まれる。ＥＥＰＲＯＭ１３０に“０”が書き込まれるとスイッチ１２２とスイッチ１２３がオンとなりスイッチ１２１とスイッチ１２４はオフとなる。このときコイル１２６の磁力極性は上側がＳ極となり下側がＮ極となるため、表示磁性板１１０は黒色塗装のＮ極が下を向き白色塗装のＳ極が上を向く。
【００１３】
図４は実施例１の故障表示ＩＣ１００が“異常表示”をしている場合の故障表示ＩＣの状態を示すブロック図である。Ｉ２Ｃバス２００からシステムの異常状態を示す値“１”が与えられ、これに応じて、Ｉ２Ｃ制御回路１４０を介してＥＥＰＲＯＭ１３０に“１”が書き込まれる。ＥＥＰＲＯＭ１３０に“１”が書き込まれるとスイッチ１２１とスイッチ１２４がオンとなりスイッチ１２２とスイッチ１２３はオフとなる。このときコイル１２６の磁力極性は上側がＮ極となり下側がＳ極となるため、表示磁性板１１０は白色塗装のＳ極が下を向き黒色塗装のＮ極が上を向く。
【００１４】
図５（ａ）、（ｂ）は実施例１の故障表示ＩＣ１００の外観を示す斜視図であり、それぞれ正常表示および故障表示に対応した図である。故障表示ＩＣ１００を取り付ける基板に接する面と逆の背面に表示窓を設け、この窓から表示磁性板１１０の白色塗装または黒色塗装表示面が見えるようにする。表示磁性板１１０は粘性のある液体１１１中に浮遊しているので、コイル１２６の磁力極性が変化するときにはこれに応じて表示面が反転可能であるが、コイル１２６が磁力を失った場合には、表示磁性板１１０は、直前の表示状態を維持し表示状態は保持される。
【００１５】
実施例１の故障表示ＩＣ１００は磁界を利用して表示を制御するものであるから、対象機器が磁気ヘッドなどを持ち内部に磁気が多い場合には使用を避けた方が良いケースが有る。対象機器の温度が高いことは障害にはならない。
【００１６】
（実施例２）
図６は本発明の故障部位表示方法に適用できる実施例２の故障表示ＩＣの構成を示すブロック図である。１００は故障表示ＩＣである。３００は感熱ラベルであり、故障表示ＩＣ１００の外面から見える位置に貼り付けられる。感熱ラベル３００は熱を与えられると色が白から黒へ変色するが、一旦変色すると熱を取り去っても色は元に戻らず、黒のままである。１６１はヒーターであり、通電されると発熱し、これが感熱ラベル３００に作用して、これを変色させる位置に設けられる。１６０はスイッチであり、電源Ｖｃｃとヒーター１６１の間に設けられ、常時はオフとされている。１３０はＥＥＰＲＯＭであり、故障表示ＩＣに表示すべき内容が“０”または“１”データとして記憶される。１４０はＩ２Ｃ制御回路で、Ｉ２Ｃバス２００を介して与えられるデータに応じてＥＥＰＲＯＭ１３０にデータを書き込む。１５０はタイマーであり、ＥＥＰＲＯＭ１３０からデータ“１”が与えられるとき動作して、所定の時間スイッチ１６０をオンとする。スイッチ１６０がオンとされると電源Ｖｃｃがヒーター１６１に与えられて、ヒーター１６１は発熱して、感熱ラベル３００を変色させる。なお、感熱ラベル３００は貼り付け可能として、故障表示ＩＣ１００を取り付ける基板に半田付け後に貼り付けることとすれば、半田付けの熱による感熱ラベル３００の変色を防ぐことができる。
【００１７】
図７は実施例２の故障表示ＩＣ１００が“正常表示”をしている場合の故障表示ＩＣの状態を示すブロック図である。Ｉ２Ｃバス２００からシステムの正常状態を示す値“０”が与えられ、これに応じて、Ｉ２Ｃ制御回路１４０を介してＥＥＰＲＯＭ１３０に“０”が書き込まれる。ＥＥＰＲＯＭ１３０に“０”が書き込まれるとスイッチ１６０はオフを維持するからヒーター１６１は発熱することはない。
【００１８】
図８は実施例２の故障表示ＩＣ１００が“異常表示”をしている場合の故障表示ＩＣの状態を示すブロック図である。Ｉ２Ｃバス２００からシステムの異常状態を示す値“１”が与えられ、これに応じて、Ｉ２Ｃ制御回路１４０を介してＥＥＰＲＯＭ１３０に“１”が書き込まれる。ＥＥＰＲＯＭ１３０に“１”が書き込まれるとタイマー１５０が所定時間スイッチ１６０をオンにする。その結果、ヒーター１６１は発熱し、感熱ラベル３００が黒色に変色する。
【００１９】
実施例２の故障表示ＩＣ１００も、外観は、図５に示すように、故障表示ＩＣ１００を取り付ける基板に接する面と逆の背面に表示部を設け、この表示部に感熱ラベル３００を貼り付けるものとするのが良い。
【００２０】
実施例２の故障表示ＩＣ１００は熱を利用して表示を制御するものであるから、対象機器の温度が高い場合には使用を避けた方が良いケースが有る。対象機器が磁気ヘッドなどを持ち内部に磁気が多いことは障害にはならない。
【００２１】
（実施例３）
図９は、実施例１あるいは実施例２で説明した故障表示ＩＣ１００を適用したシステム例を示すブロック図である。
【００２２】
ベースボード４００には第１ＣＰＵ４１０、第２ＣＰＵ４１１、第１Ｍｅｍｏｒｙ１４２０、第２Ｍｅｍｏｒｙ４２１、第１ＰＣＩ４３０および第２ＰＣＩ４３１が実装され、これらはベースボード４００に実装されるブリッジＬＳＩ４４０を経由して接続されている。また、ベースボード４００にはベースボード４００上の故障情報を制御するベースボードマネージメントコントローラ（以下ＢＭＣと略す）４０１が実装される。ＢＭＣ４０１はブリッジＬＳＩ４４０に内蔵される故障情報レジスタ４４１から第１ＣＰＵ４１０、第２ＣＰＵ４１１、第１Ｍｅｍｏｒｙ４２０、第２Ｍｅｍｏｒｙ４２１、第１ＰＣＩ４３０および第２ＰＣＩ４３１の故障情報を読み出すことができる。
【００２３】
ベースボード４００上の第１ＣＰＵ４１０に隣接して第１ＣＰＵ４１０の故障を表示する故障表示ＩＣ１００ａが実装され、第２ＣＰＵ４１１に隣接して第２ＣＰＵ４１１の故障を表示する故障表示ＩＣ１００ｂが実装される。同様に、第１Ｍｅｍｏｒｙ４２０に隣接して第１Ｍｅｍｏｒｙ４２０の故障を表示する故障表示ＩＣ１００ｃが実装され、第２Ｍｅｍｏｒｙ４２１に隣接して第２Ｍｅｍｏｒｙ４２１の故障を表示する故障表示ＩＣ１００ｄが実装される。さらに、第１ＰＣＩ４３０に隣接して第１ＰＣＩ４３０の故障を表示する故障表示ＩＣ１００ｅが実装され、第２ＰＣＩ４３に隣接して第２ＰＣＩ４３１の故障を表示する故障表示ＩＣ１００ｆが実装されている。
【００２４】
ＢＭＣ４０１にはフロントパネル５００上のブザー５０１とエラーＬＥＤ５０２が接続されている。ＢＭＣ４０１は第１ＣＰＵ４１０、第２ＣＰＵ４１１、第１Ｍｅｍｏｒｙ４２０、第２Ｍｅｍｏｒｙ４２１、第１ＰＣＩ４３０および第２ＰＣＩ４３１で故障が発生したことを故障情報レジスタ４４１から得た場合にはブザー５０１を鳴動させ、エラーＬＥＤ５０２を点灯することによってシステムに故障が発生したことを知らせる。
【００２５】
図１０は、図９に示したシステムにおけるエラー信号、異常信号の状況を説明するブロック図である。
【００２６】
第１ＣＰＵ４１０の内部に故障が発生した場合、第１ＣＰＵ４１０は第１ＣＰＵ内部エラー信号４１３を出力する。第１ＣＰＵ内部エラー信号４１３が出力されると、故障情報レジスタ４４１の第１ＣＰＵ内部エラーｂｉｔ４４２がセットされる。第１ＣＰＵ４１０で温度異常が発生した場合第１ＣＰＵ４１０は第１ＣＰＵ温度異常信号４１４を出力する。第１ＣＰＵ温度異常信号４１４が出力されると、故障情報レジスタ４４１の第１ＣＰＵ温度異常ｂｉｔ４４３がセットされる。第２ＣＰＵ４１１の内部に故障が発生した場合第２ＣＰＵ４１１は第２ＣＰＵ内部エラー信号４１５を出力する。第２ＣＰＵ内部エラー信号４１５が出力されると、故障情報レジスタ４４１の第２ＣＰＵ内部エラーｂｉｔ４４４がセットされる。第２ＣＰＵ４１１で温度異常が発生した場合第２ＣＰＵ４１１は第２ＣＰＵ温度異常信号４１６を出力する。第２ＣＰＵ温度異常信号４１６が出力されると、故障情報レジスタ４４１の第２ＣＰＵ温度異常ｂｉｔ４４５がセットされる。
【００２７】
第１Ｍｅｍｏｒｙ４２０のアクセス中にパリティチェック回路４２３がパリティエラーを検知した場合パリティチェック回路４２３は故障情報レジスタ４４１の第１Ｍｅｍｏｒｙエラーｂｉｔ４４６をセットする。第２Ｍｅｍｏｒｙ４２１のアクセス中にパリティチェック回路４２３がパリティエラーを検知した場合パリティチェック回路４２３は故障情報レジスタ４４１の第２Ｍｅｍｏｒｙエラーｂｉｔ４４７をセットする。
【００２８】
第１ＰＣＩ４３０でパリティエラーが発生した場合第１ＰＣＩ４３０は第１ＰＣＩ ＰＥＲＲ信号４３３を出力する。第１ＰＣＩ ＰＥＲＲ信号４３３が出力されると、故障情報レジスタ４４１の第１ＰＣＩ ＰＥＲＲ ｂｉｔ４４８がセットされる。第１ＰＣＩ４３０でシステムエラーが発生した場合第１ＰＣＩ４３０は第１ＰＣＩ ＳＥＲＲ信号４３４を出力する。第１ＰＣＩ ＳＥＲＲ信号４３４が出力されると、故障情報レジスタ４４１の第１ＰＣＩ ＳＥＲＲ ｂｉｔ４４９がセットされる。第２ＰＣＩ４３１でパリティエラーが発生した場合第２ＰＣＩ４３１は第２ＰＣＩ ＰＥＲＲ信号４３５を出力する。第２ＰＣＩ ＰＥＲＲ信号４３５が出力されると、故障情報レジスタ４４１の第２ＰＣＩ ＰＥＲＲ ｂｉｔ４５０がセットされる。第２ＰＣＩ４３１でシステムエラーが発生した場合第２ＰＣＩ４３０は第２ＰＣＩ ＳＥＲＲ信号４３６を出力する。第２ＰＣＩ ＳＥＲＲ信号４３６が出力されると、故障情報レジスタ４４１の第２ＰＣＩ ＳＥＲＲ ｂｉｔ４５１がセットされる。
【００２９】
この様にして、第１ＣＰＵ内部エラーｂｉｔ４４２、第１ＣＰＵ温度異常ｂｉｔ４４３、第２ＣＰＵ内部エラーｂｉｔ４４４、第２ＣＰＵ温度異常ｂｉｔ４４５、第１Ｍｅｍｏｒｙエラーｂｉｔ４４６、第２Ｍｅｍｏｒｙエラーｂｉｔ４４７、第１ＰＣＩ ＰＥＲＲ ｂｉｔ４４８、第１ＰＣＩ ＳＥＲＲ ｂｉｔ４４９、第２ＰＣＩ ＰＥＲＲ ｂｉｔ４５０および第２ＰＣＩ ＳＥＲＲ ｂｉｔ４５１のいづれかがセットされると故障情報レジスタ４４１は割り込み信号２０１をＢＭＣ４０１に対して出力する。ＢＭＣ４０１は割り込み信号２０１が出力されるとＩ２Ｃバス２００を介して故障情報レジスタ４４１の値を読み込む。
【００３０】
第１ＣＰＵ内部エラーｂｉｔ４４２がセットされていた場合、ＢＭＣ４０１は第１ＣＰＵ４１０に隣接して実装された故障表示ＩＣ１００ａのＩ２Ｃ制御回路１４０を介してＥＥＰＲＯＭ１３０に“１”を書き込む。ＥＥＰＲＯＭ１３０に“１”が書き込まれるとスイッチ１２１とスイッチ１２４がオンとなりスイッチ１２２とスイッチ１２３はオフとなる。このときコイル１２６の磁力極性は上側がＮ極となり下側がＳ極となるため、表示磁性板１１０は白色塗装のＳ極が下を向き黒色塗装のＮ極が上を向き、故障表示の黒に変える（図４参照）。第１ＣＰＵ温度異常ｂｉｔ４４３がセットされていた場合、ＢＭＣ４０１は、同様に、第１ＣＰＵ４１０に隣接して実装された故障表示ＩＣ１００ａを故障表示の黒に変える。
【００３１】
同様に、第２ＣＰＵ内部エラーｂｉｔ４４４がセットされていた場合、ＢＭＣ４０１は第２ＣＰＵ４１１に隣接して実装された故障表示ＩＣ１００ｂを故障表示の黒に変える。第２ＣＰＵ温度異常ｂｉｔ４４５がセットされていた場合、ＢＭＣ４０１は第２ＣＰＵ４１１に隣接して実装された故障表示ＩＣ１００ｂを故障表示の黒に変える。
【００３２】
同様に、第１Ｍｅｍｏｒｙエラーｂｉｔ４４6がセットされていた場合、ＢＭＣ４０１は第１Ｍｅｍｏｒｙ４２０に隣接して実装された故障表示ＩＣ１００ｃを故障表示の黒に変える。第２Ｍｅｍｏｒｙエラーｂｉｔ４４７がセットされていた場合、ＢＭＣ４０１は第２Ｍｅｍｏｒｙ４２１に隣接して実装された故障表示ＩＣ１００ｃを故障表示の黒に変える。
【００３３】
同様に、第１ＰＣＩ ＰＥＲＲ ｂｉｔ４４８がセットされていた場合、ＢＭＣ４０１は第１ＰＣＩ４３０に隣接して実装された故障表示ＩＣ１００ｅを故障表示の黒に変える。第１ＰＣＩ ＳＥＲＲ ｂｉｔ４４９がセットされていた場合、ＢＭＣ４０１は第１ＰＣＩ４３０に隣接して実装された故障表示ＩＣ１００ｅを故障表示の黒に変える。第２ＰＣＩ ＰＥＲＲ ｂｉｔ４５０がセットされていた場合、ＢＭＣ４０１は第２ＰＣＩ４３１に隣接して実装された故障表示ＩＣ１００ｆを故障表示の黒に変える。第２ＰＣＩ ＳＥＲＲ ｂｉｔ４５１がセットされていた場合、ＢＭＣ４０１は第２ＰＣＩ４３１に隣接して実装された故障表示ＩＣ１００ｆを故障表示の黒に変える。
【００３４】
ＢＭＣ４０１は故障情報レジスタ４４１の第１ＣＰＵ内部エラーｂｉｔ４４２、第１ＣＰＵ温度異常ｂｉｔ４４３、第２ＣＰＵ内部エラーｂｉｔ４４４、第２ＣＰＵ温度異常ｂｉｔ４４５、第１Ｍｅｍｏｒｙエラーｂｉｔ４４６、第２Ｍｅｍｏｒｙエラーｂｉｔ４４７、第１ＰＣＩ ＰＥＲＲ ｂｉｔ４４８、第１ＰＣＩ ＳＥＲＲ ｂｉｔ４４９、第２ＰＣＩ ＰＥＲＲ ｂｉｔ４５０および第２ＰＣＩ ＳＥＲＲ ｂｉｔ４５１のいづれかのｂｉｔがセットされていた場合フロントパネル５００のブザー５０１を鳴動させ、エラーＬＥＤ５０２を点灯することによってシステムに故障が発生したことをユーザーに知らせる。
【００３５】
本発明の各故障表示ＩＣ１００ａから１００ｆの表示状態は、システムの電源がオフされても変化しないため、保守員は故障表示ＩＣ１００ａから１００ｆの表示窓の表示色が黒になっている機器を交換すれば良い。したがって、システムの電源を止めて、システムを部分的に解体した状態になっても、故障表示ＩＣ１００と、これに対応する機器とを点検すれば故障機器を容易に特定できる。例えば図９では第２ＣＰＵ４１１に隣接して配置された故障表示ＩＣ１００ｂが黒く変色しており、第２ＣＰＵ４１１で内部エラーまたは温度異常が発生したことを示しているため、第２ＣＰＵ４１１を交換すれば良いことが分かる。
【００３６】
（実施例４）
図１１は、実施例１あるいは実施例２で説明した故障表示ＩＣ１００を適用した他のシステム例を示すブロック図である。
【００３７】
実施例４では、実施例３（図９）の場合と異なり、故障表示ＩＣ１００がブザー５０１およびエラーＬＥＤ５０２を実装しているフロントパネル５００のベースボード縮小図５０３上に実装されるものとした。また、エラーＬＥＤ５０２は省略した。
【００３８】
実施例４では、したがって、故障表示ＩＣ１００が故障を示す機器の名称を表示して、この名称板に隣接して故障表示ＩＣ１００を設ける。すなわち、図９の第１ＣＰＵ４１０に隣接して配置された故障表示ＩＣ１００ａの代わりにベースボード縮小図５０３上に第１ＣＰＵエラーの表示と故障表示ＩＣ１００ｇを設ける。同様に、第２ＣＰＵエラーの表示と故障表示ＩＣ１００ｈを、第１Ｍｅｍｏｒｙエラーの表示と故障表示ＩＣ１００ｉを、第２Ｍｅｍｏｒｙエラーの表示と故障表示ＩＣ１００ｊを、第１ＰＣＩエラーの表示と故障表示ＩＣ１００ｋを、第２ＰＣＩ４３１エラーの表示と故障表示ＩＣ１００ｍを、それぞれ設ける。
【００３９】
実施例４では、システムの故障に対して、ベースボード縮小図５０３のみを見ることで故障機器を知ることができるので、システムを部分的に解体した状態にしなくても、対策の準備ができるメリットがある。
【００４０】
（実施例５）
図１２は、実施例１あるいは実施例２で説明した故障表示ＩＣ１００を適用した、さらに他のシステム例を示すブロック図である。
【００４１】
実施例５では、実施例３（図９）と実施例４（図１１）とを対比して容易に理解できるように、実施例３のように各機器に隣接して故障表示ＩＣ１００を設けるとともに、実施例４のようにベースボード縮小図５０３による故障を示す機器の名称表示とこれに隣接した故障表示ＩＣ１００を設ける。
【００４２】
本発明の故障表示ＩＣ１００はシステムの電源をオフしても表示は維持される。したがって、ベースボード縮小図５０３による故障表示に応じて対応の準備をした後、システムを部分的に解体した状態にした場合にも、故障機器に隣接した故障表示により直接故障機器を確認できるので、故障機器の誤認に伴う安易なミスを防止できる効果がある。
【００４３】
（実施例６）
図１３は、実施例１あるいは実施例２で説明した故障表示ＩＣ１００を実施例３−５とは異なった形態で適用した表示例を示す図である。
【００４４】
実施例３−５では、故障機器と故障表示ＩＣ１００とを対応付けて故障表示をしたが、実施例６では、ＢＭＣ４０１が備える故障情報を制御する機能を利用して、故障情報レジスタ４４１から得られる故障情報に応じて、数字表示とする例である。図１３に示すように故障表示ＩＣ１００を用いて７セグメントの表示列を２列設ければ、２桁の数字表示が可能である。例えば、実施例４で第１ＣＰＵエラーとして故障表示ＩＣ１００ｇにより故障表示する場合は、数字で“１”の表示、第２ＣＰＩエラーとして故障表示ＩＣ１００ｍにより故障表示する場合は、数字で“１０”の表示をするが如く表示するのである。図では、黒色表示により数字表示をする例であり、表示を“０１”とした例をしめす。
【００４５】
実施例６では、表示する数字の意味を理解することが必要であるが、狭いスペースで多数の故障に対する表示が可能となるメリットがある。
【図面の簡単な説明】
【００４６】
【図１】本発明の故障部位表示方法に適用できる実施例１の故障表示ＩＣの構成を示すブロック図である。
【図２】実施例１の表示磁性板１１０を、二つの態様で示す斜視図である。
【図３】実施例１の故障表示ＩＣ１００が“正常表示”をしている場合の故障表示ＩＣの状態を示すブロック図である。
【図４】実施例１の故障表示ＩＣ１００が“異常表示”をしている場合の故障表示ＩＣの状態を示すブロック図である。
【図５】（ａ）、（ｂ）は実施例１の故障表示ＩＣ１００の外観を示す斜視図であり、それぞれ正常表示および故障表示に対応した図である。
【図６】本発明の故障部位表示方法に適用できる実施例２の故障表示ＩＣの構成を示すブロック図である。
【図７】実施例２の故障表示ＩＣ１００が“正常表示”をしている場合の故障表示ＩＣの状態を示すブロック図である。
【図８】実施例２の故障表示ＩＣ１００が“異常表示”をしている場合の故障表示ＩＣの状態を示すブロック図である。
【図９】実施例１あるいは実施例２で説明した故障表示ＩＣ１００を適用したシステム例を示すブロック図である。
【図１０】図９に示したシステムにおけるエラー信号、異常信号の状況を説明するブロック図である。
【図１１】実施例１あるいは実施例２で説明した故障表示ＩＣ１００を適用した他のシステム例を示すブロック図である。
【図１２】実施例１あるいは実施例２で説明した故障表示ＩＣ１００を適用した、さらに他のシステム例を示すブロック図である。
【図１３】実施例１あるいは実施例２で説明した故障表示ＩＣ１００を実施例３−５とは異なった形態で適用した表示例を示す図である。
【符号の説明】
【００４７】
１００…故障表示ＩＣ、１００ａ…第１ＣＰＵ４１０に隣接して実装された故障表示ＩＣ、１００ｂ…第２ＣＰＵ４１１に隣接して実装された故障表示ＩＣ、１００ｃ…第１Ｍｅｍｏｒｙ４２０に隣接して実装された故障表示ＩＣ、１００ｄ…第２Ｍｅｍｏｒｙ４２１に隣接して実装された故障表示ＩＣ、１００ｅ…第１ＰＣＩ４３０に隣接して実装された故障表示ＩＣ、１００ｆ…第２ＰＣＩ４３１に隣接して実装された故障表示ＩＣ、１００ｇ…フロントパネル５００上の第１ＣＰＵ４１０の故障を示す故障表示ＩＣ、１００ｈ…フロントパネル５００上の第２ＣＰＵ４１１の故障を示す故障表示ＩＣ、１００ｉ…フロントパネル５００上の第１Ｍｅｍｏｒｙ４２０の故障を示す故障表示ＩＣ、１００ｊ…フロントパネル５００上の第２Ｍｅｍｏｒｙ４２１の故障を示す故障表示ＩＣ、１００ｋ…フロントパネル５００上の第１ＰＣＩ４３０の故障を示す故障表示ＩＣ、１００ｍ…フロントパネル５００上の第２ＰＣＩ４３１の故障を示す故障表示ＩＣ、１１０…扁平な表示磁性板、１１１…粘性のある液体、１１２…透明なケース、１１３…磁性板１１０を封入するカプセル、１２１，１２２，１２３および１２４…スイッチ、１２５…インバーター、１２６…コイル、１３０…表示状態を格納するＥＥＰＲＯＭ、１４０…Ｉ２Ｃバス２００からのデータをＥＥＰＲＯＭ１３０に書き込むためのＩ２Ｃ制御回路、１５０…タイマー、１６０…スイッチ、１６１…ヒーター、２００…Ｉ２Ｃバス、２０１…割り込み信号、３００…感熱ラベル、４００…ベースボード、４０１…ベースボードマネージメントコントローラ、４１０…第１ＣＰＵ、４１１…第２ＣＰＵ、４１２…ＣＰＵバス、４１３…第１ＣＰＵ４１０の内部エラー信号、４１４…第１ＣＰＵ４１０の温度異常信号、４１５…第２ＣＰＵ４１１の内部エラー信号、４１６…第２ＣＰＵ４１１の温度異常信号、４２０…Ｍｅｍｏｒｙ１、４２１…Ｍｅｍｏｒｙ２、４２２…メモリバス、４２３…メモリのパリティチェック回路、４３０…ＰＣＩ１、４３１…ＰＣＩ２、４３２…ＰＣＩバス、４３３…第１ＰＣＩ４３０のパリティエラー信号、４３４…第１ＰＣＩ４３０のシステムエラー信号、４３５…第２ＰＣＩ４３１のパリティエラー信号、４３６…第２ＰＣＩ４３２のシステムエラー信号、４４０…ＣＰＵとメモリとＰＣＩバスを接続するブリッジＬＳＩ、４４１…ブリッジＬＳＩ４４０内に設けられたＣＰＵとメモリとＣＩバスの故障情報を格納する故障情報レジスタ、４４２…故障情報レジスタ４４１内の第１ＣＰＵ内部エラーｂｉｔ、４４３…故障情報レジスタ４４１内の第１ＣＰＵ温度異常ｂｉｔ、４４４…故障情報レジスタ４４１内の第２ＣＰＵ内部エラーｂｉｔ、４４５…故障情報レジスタ４４１内の第２ＣＰＵ温度異常ｂｉｔ、４４６…故障情報レジスタ４４１内の第１Ｍｅｍｏｒｙエラーｂｉｔ、４４７…故障情報レジスタ４４１内の第２Ｍｅｍｏｒｙエラーｂｉｔ、４４８…故障情報レジスタ４４１内のＰＣＩ１パリティエラーｂｉｔ、４４９…故障情報レジスタ４４１内のＰＣＩ１システムエラーｂｉｔ、４５０…故障情報レジスタ４４１内のＰＣＩ２パリティエラーｂｉｔ、４５１…故障情報レジスタ４４１内のＰＣＩ２システムエラーｂｉｔ、５００…フロントパネル、５０１…フロントパネル５００上のブザー、５０２…フロントパネル５００上のエラーＬＥＤ、５０３…フロントパネル５００上のベースボード縮小図。
【図１】
2005251060.tif 000003
【図２】
2005251060.tif 000004
【図３】
2005251060.tif 000005
【図４】
2005251060.tif 000006
【図５】
2005251060.tif 000007
【図６】
2005251060.tif 000008
【図７】
2005251060.tif 000009
【図８】
2005251060.tif 000010
【図９】
2005251060.tif 000011
【図１０】
2005251060.tif 000012
【図１１】
2005251060.tif 000013
【図１２】
2005251060.tif 000014
【図１３】
2005251060.tif 000015